(57)【要約】カートンと、カートンに貼り付けられる袋とを備える強化パッケージ。袋は、開放した頂部及びシールされた底部を有し、カートンは、形成されたパッケージの形状を強化するとともに、パッケージの内容物にアクセスすることを可能にする機能部を有する。【選択図】図４
2018523621.tif 000002
【特許請求の範囲】
【請求項１】
少なくとも１つの製品を保持するための強化パッケージであって、該パッケージは、カートンと、該カートンに貼り付けられた袋とを備え、
前記袋は、閉鎖した底部と、前記少なくとも１つの製品を保持するための内部とを有し、前記カートンは、
前記袋を収容する前記カートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、前記カートンの閉鎖した底部を形成する、複数のボトム端部フラップと、
を有し、
前記ボトム端部フラップは、前記カートンを該パッケージの拡張形態に係止する係止機能部を有し、前記拡張形態では、前記閉鎖した底部が形成され、前記袋は、前記カートンの前記内部空間内に収容され、前記少なくとも１つの製品を内部に保持するように位置決めされる、強化パッケージ。
【請求項２】
前記複数のボトム端部フラップは、前記フロントパネルに折り曲げ可能に接続されている第１のボトムパネルと、前記第１のサイドパネルに折り曲げ可能に接続されている第２のボトムパネルと、前記バックパネルに折り曲げ可能に接続されている第３のボトムパネルと、前記第２のサイドパネルに折り曲げ可能に接続されている第４のボトムパネルとを含む、請求項１に記載のパッケージ。
【請求項３】
前記係止機能部は、前記第１のボトムパネルにおける雌係止機能部と、前記第３のボトムパネルにおける雄係止機能部とを含み、該雄係止機能部は、前記雌係止機能部に挿入され、前記カートンを前記拡張形態に係止する、請求項２に記載のパッケージ。
【請求項４】
前記第１のボトムパネルは、折り線において前記フロントパネルに折り曲げ可能に接続されており、前記雌係止機能部は、前記第１のボトムパネルが前記フロントパネルに対して折り曲げられると雌係止開口部を形成する、前記折り線に隣接する切れ目を含む、請求項３に記載のパッケージ。
【請求項５】
前記雄係止機能部は、前記第３のボトム端部フラップの遠位縁部における突出部を含む、請求項４に記載のパッケージ。
【請求項６】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止するものである、請求項３に記載のパッケージ。
【請求項７】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項６に記載のパッケージ。
【請求項８】
前記袋は、第１の側部及び第２の側部を有し、前記第１の側部は、第１のガセットを有し、前記第２の側部は、第２のガセットを有する、請求項１に記載のパッケージ。
【請求項９】
前記袋は、該袋の除去可能な上側部分を画定する引裂き機能部を有し、前記上側部分は、前記袋の前記内部にアクセスするために前記袋から除去可能である、請求項８に記載のパッケージ。
【請求項１０】
前記複数のパネルは、前記カートンの頂縁部を構成し、前記袋は、前記カートンの前記頂縁部の上方に延在する、請求項１に記載のパッケージ。
【請求項１１】
前記袋は、閉鎖した底部を有し、前記袋の前記閉鎖した底部は、前記カートンの前記閉鎖した底端部によって支持される、請求項１に記載のパッケージ。
【請求項１２】
カートンに貼り付けられた袋と少なくとも１つの製品とを保持するためのカートンであって、前記袋は、閉鎖した底部と、前記少なくとも１つの製品を保持するための内部とを有し、該カートンは、
前記袋を収容する該カートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、該カートンの閉鎖した底部を形成する、ボトム端部フラップと、
を有し、
前記ボトム端部フラップは、該カートンを拡張形態に係止する係止機能部を有し、前記拡張形態において、前記閉鎖した底部が形成され、前記袋は、該カートンの前記内部空間に収容され、前記少なくとも１つの製品を内部に保持するように位置決めされる、カートン。
【請求項１３】
前記複数のボトム端部フラップは、前記フロントパネルに折り曲げ可能に接続されている第１のボトムパネルと、前記第１のサイドパネルに折り曲げ可能に接続されている第２のボトムパネルと、前記バックパネルに折り曲げ可能に接続されている第３のボトムパネルと、前記第２のサイドパネルに折り曲げ可能に接続されている第４のボトムパネルとを含む、請求項１２に記載のカートン。
【請求項１４】
前記係止機能部は、前記第１のボトムパネルにおける雌係止機能部と、前記第３のボトムパネルにおける雄係止機能部とを含み、該雄係止機能部は、前記雌係止機能部に挿入され、前記カートンを前記拡張形態に係止する、請求項１３に記載のカートン。
【請求項１５】
前記第１のボトムパネルは、折り線において前記フロントパネルに折り曲げ可能に接続されており、前記雌係止機能部は、前記第１のボトムパネルが前記フロントパネルに対して折り曲げられると雌係止開口部を形成する、前記折り線に隣接する切れ目を含む、請求項１４に記載のカートン。
【請求項１６】
前記雄係止機能部は、前記第３のボトム端部フラップの遠位縁部における突出部を含む、請求項１５に記載のカートン。
【請求項１７】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止するものである、請求項１４に記載のカートン。
【請求項１８】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項１７に記載のカートン。
【請求項１９】
少なくとも１つの製品を保持するための強化パッケージを形成するカートンブランクと該カートンブランクに貼り付けられた袋との組合せ体であって、
前記袋は、閉鎖した底部と、前記強化パッケージ内に前記少なくとも１つの製品を保持するための内部とを有し、
前記カートンブランクは、
前記袋を収容する前記カートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、前記強化パッケージにおける前記カートンの閉鎖した底部を形成する、複数のボトム端部フラップと、
を有し、
前記ボトム端部フラップは、前記カートンを前記パッケージの拡張形態に係止する係止機能部を有し、前記拡張形態において、前記閉鎖した底部が形成され、前記袋は、前記カートンの前記内部空間に収容され、前記少なくとも１つの製品を内部に保持するように位置決めされる、組合せ体。
【請求項２０】
前記複数のボトム端部フラップは、前記フロントパネルに折り曲げ可能に接続されている第１のボトムパネルと、前記第１のサイドパネルに折り曲げ可能に接続されている第２のボトムパネルと、前記バックパネルに折り曲げ可能に接続されている第３のボトムパネルと、前記第２のサイドパネルに折り曲げ可能に接続されている第４のボトムパネルとを含み、前記係止機能部は、前記第１のボトムパネルにおける雌係止機能部と、前記第３のボトムパネルにおける雄係止機能部とを含み、該雄係止機能部は、前記雌係止機能部に挿入され、前記カートンを前記拡張形態に係止する、請求項１９に記載の組合せ体。
【請求項２１】
前記第１のボトムパネルは、折り線において前記フロントパネルに折り曲げ可能に接続されており、前記雌係止機能部は、前記第１のボトムパネルが前記フロントパネルに対して折り曲げられると雌係止開口部を形成する、前記折り線に隣接する切れ目を含む、請求項２０に記載の組合せ体。
【請求項２２】
前記雄係止機能部は、前記第３のボトム端部フラップの遠位縁部における突出部を含む、請求項２１に記載の組合せ体。
【請求項２３】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止し、前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項２０に記載の組合せ体。
【請求項２４】
前記袋は、第１の側部及び第２の側部を有し、前記第１の側部は、第１のガセットを有し、前記第２の側部は、第２のガセットを有する、請求項１９に記載の組合せ体。
【請求項２５】
前記袋は、該袋の除去可能な上側部分を画定する引裂き機能部を有し、前記上側部分は、前記袋の前記内部にアクセスするために前記袋から除去可能である、請求項２４に記載の組合せ体。
【請求項２６】
少なくとも１つの製品を保持するための強化パッケージを形成する方法であって、該方法は、
フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを備えた複数のパネルと、前記複数のパネルのそれぞれのパネルにそれぞれ折り曲げ可能に接続されており係止機能部を有する複数のボトム端部フラップとを含むカートンブランクを得ることと、
閉鎖した底部と、前記強化パッケージ内に前記少なくとも１つの製品を保持するための内部とを有する袋を得ることと、
前記袋を収容する前記カートンの内部空間を形成するように、前記カートンブランクの前記複数のパネルを位置決めすることと、
前記袋を前記カートンブランクに貼り付けることと、
前記ボトム端部フラップを少なくとも部分的に重ね合わせることによって、前記カートンの前記閉鎖した底部を形成することと、
前記カートンを前記パッケージの拡張形態に係止するように前記係止機能部を機能させることであって、前記拡張形態において、前記閉鎖した底部が形成され、前記袋は、前記カートンの前記内部空間に収容され、前記少なくとも１つの製品を内部に保持するように位置決めされることと、
を含む、方法。
【請求項２７】
前記複数のボトム端部フラップは、前記フロントパネルに折り曲げ可能に接続されている第１のボトムパネルと、前記第１のサイドパネルに折り曲げ可能に接続されている第２のボトムパネルと、前記バックパネルに折り曲げ可能に接続されている第３のボトムパネルと、前記第２のサイドパネルに折り曲げ可能に接続されている第４のボトムパネルとを含み、前記係止機能部は、前記第１のボトムパネルにおける雌係止機能部と、前記第３のボトムパネルにおける雄係止機能部とを含み、前記係止機能部を前記機能させることは、前記雄係止機能部を前記雌係止機能部に挿入して、前記カートンを前記拡張形態に係止することを含む、請求項２６に記載の方法。
【請求項２８】
前記第１のボトムパネルは、折り線において前記フロントパネルに折り曲げ可能に接続されており、前記雌係止機能部は、前記折り線に隣接する切れ目を含み、前記係止機能部を前記機能させることは、前記フロントパネルに対して前記第１のボトムパネルを折り曲げて、前記切れ目において雌係止開口部を形成することを含む、請求項２７に記載の方法。
【請求項２９】
前記雄係止機能部は、前記第３のボトム端部フラップの遠位縁部における突出部を含み、前記挿入することは、前記突出部を前記雌係止開口部に挿入することを含む、請求項２８に記載の方法。
【請求項３０】
前記係止機能部は、前記第１のボトム端部フラップにおける第１のノッチと、前記第４のボトム端部フラップにおける第２のノッチとを含み、前記機能部を前記機能させることは、前記ボトム端部フラップのうちの少なくとも１つのボトム端部フラップの縁部を、前記第１のノッチ及び前記第２のノッチ内に受けて、前記ボトム端部フラップを、前記カートンの前記閉鎖した底端部を形成する位置に係止することを含む、請求項２７に記載の方法。
【請求項３１】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項３０に記載の方法。
【請求項３２】
前記袋は、第１の側部及び第２の側部を有し、前記第１の側部は、第１のガセットを有し、前記第２の側部は、第２のガセットを有し、前記方法は、前記カートンの前記内部空間を形成するように前記パネルを互いに対して位置決めするとともに、前記第１のガセット及び前記第２のガセットを折り曲げて前記袋の前記内部を形成することによって、前記カートンブランク及び前記袋を平坦形態から前記拡張形態へと位置決めすることを含む、請求項２６に記載の方法。
【請求項３３】
前記袋は、該袋の除去可能な上側部分を画定する引裂き機能部を有し、該方法は、前記袋の前記内部にアクセスするために前記袋から前記上側部分を除去することを更に含む、請求項３２に記載の方法。
【発明の詳細な説明】
【技術分野】
【０００１】
［関連出願の相互参照］
本願は、２０１５年８月２１日に出願された米国仮特許出願第６２／２８３，１１６号の利益を主張する。
【０００２】
［参照による援用］
２０１３年３月１５日に出願された米国特許出願第１３／８３４，８２０号、２０１４年９月２５日に出願された米国特許出願第１４／４９６，２５２号、２０１５年７月１４日に出願された米国仮特許出願第６２／２３１，７２３号、２０１５年７月２３日に出願された米国仮特許出願第６２／２８２，０４９号、及び２０１５年８月２１日に出願された米国仮特許出願第６２／２８３，１１６号の開示は、その全体が本明細書内に提示されているかのように、全ての目的で引用することにより本明細書の一部をなす。
【０００３】
本開示は、包括的には、製品を保持する強化パッケージ及びパッケージを形成する方法に関する。より具体的には、本開示は、形成されたパッケージの形状を強化するとともに、パッケージの内容物に対するアクセスを可能にする機能部を有する、カートン又はブランクに貼り付けられる袋又はライナーを備えるパッケージに関する。
【背景技術】
【０００４】
米、砂等のバルク材料からより大きな物品まで、製品を包装及び搬送するのに、紙袋又はビニール袋等の袋又はライナーが従来から用いられてきている。袋又はライナーは一般的に、安価であり、製造が容易であり、種々の形態及びサイズに形成することができ、広く多様な製品の保管及び搬送に用いることができる。特に、フードサービス産業では、袋又はライナーは、サンドイッチ、フライドポテト、シリアル等のような調理済み食品の包装に用いられる場合が多い。現在、サンドイッチ、フライドポテト、シリアル及び他の調理済み食品を含む種々の製品を消費者に提供するために包装する際に用いられる袋又はライナー又は同様のパッケージに対する需要が高まっている。しかしながら、そのようなパッケージのコストを必ず可能な限り最小限に抑えねばならないこともまた重要である。補強用材料又は支持材料を含む様々なパッケージ設計が開発されてきているが、多くの場合、補強層又は補強用材料が備わっているそのような特殊な袋又はライナーの製造は、複数の段階又は作業を必要としてきており、これにより、そのようなパッケージの製造コストが著しく増大する可能性がある。
【発明の概要】
【０００５】
１つの態様において、本開示は、包括的には、少なくとも１つの製品を保持するための強化パッケージに関する。本パッケージは、カートンと、カートンに貼り付けられた袋とを備える。袋は、閉鎖した底部と、少なくとも１つの製品を保持するための内部とを有する。カートンは、袋を収容するカートンの内部空間を形成する複数のパネルを有し、複数のパネルは、フロントパネルと、フロントパネルに折り曲げ可能に接続されている第１のサイドパネルと、第１のサイドパネルに折り曲げ可能に接続されているバックパネルと、バックパネルに折り曲げ可能に接続されている第２のサイドパネルとを含む。複数のボトム端部フラップは、複数のパネルのそれぞれのパネルにそれぞれ折り曲げ可能につながっており、ボトム端部フラップは、少なくとも部分的に重なり合って、カートンの閉鎖した底部を形成する。ボトム端部フラップは、カートンをパッケージの拡張形態に係止する係止機能部を有し、拡張形態において、閉鎖した底部が形成され、袋は、カートンの内部空間に収容され、少なくとも１つの製品を内部に保持するように位置決めされる。
【０００６】
別の態様において、本開示は、包括的には、カートンに貼り付けられた袋と少なくとも１つの製品とを保持するためのカートンに関する。袋は、閉鎖した底部と、少なくとも１つの製品を保持するための内部とを有する。カートンは、袋を収容するカートンの内部空間を形成する複数のパネルを有する。複数のパネルは、フロントパネルと、フロントパネルに折り曲げ可能に接続されている第１のサイドパネルと、第１のサイドパネルに折り曲げ可能に接続されているバックパネルと、バックパネルに折り曲げ可能に接続されている第２のサイドパネルとを含む。複数のボトム端部フラップは、複数のパネルのそれぞれのパネルにそれぞれ折り曲げ可能に接続されている。ボトム端部フラップは、少なくとも部分的に重なり合って、カートンの閉鎖した底部を形成する。ボトム端部フラップは、カートンを拡張形態に係止する係止機能部を有し、拡張形態において、閉鎖した底部が形成され、袋は、カートンの内部空間に収容され、少なくとも１つの製品を内部に保持するように位置決めされる。
【０００７】
１つの態様において、本開示は、包括的には、少なくとも１つの製品を保持するための強化パッケージを形成するカートンブランクとカートンブランクに貼り付けられた袋との組合せ体に関する。袋は、閉鎖した底部と、強化パッケージ内に少なくとも１つの製品を保持するための内部とを有する。カートンブランクは、袋を収容するカートンの内部空間を形成する複数のパネルを有する。複数のパネルは、フロントパネルと、フロントパネルに折り曲げ可能に接続されている第１のサイドパネルと、第１のサイドパネルに折り曲げ可能に接続されているバックパネルと、バックパネルに折り曲げ可能に接続されている第２のサイドパネルとを含む。複数のボトム端部フラップは、複数のパネルのそれぞれのパネルにそれぞれ折り曲げ可能に接続されている。ボトム端部フラップは、少なくとも部分的に重なり合って、強化パッケージにおいてカートンの閉鎖した底部を形成するものである。ボトム端部フラップは、カートンをパッケージの拡張形態に係止する係止機能部を有し、拡張形態において、閉鎖した底部が形成され、袋は、カートンの内部空間に収容され、少なくとも１つの製品を内部に保持するように位置決めされる。
【０００８】
別の態様において、本開示は、包括的には、少なくとも１つの製品を保持するための強化パッケージを形成する方法に関する。本方法は、複数のパネルを有するカートンブランクを得ることを含む。複数のパネルは、フロントパネルと、フロントパネルに折り曲げ可能に接続されている第１のサイドパネルと、第１のサイドパネルに折り曲げ可能に接続されているバックパネルと、バックパネルに折り曲げ可能に接続されている第２のサイドパネルとを含む。複数のボトム端部フラップは、複数のパネルのそれぞれのパネルにそれぞれ折り曲げ可能に接続されている。ボトム端部フラップは、係止機能部を有する。本方法は、閉鎖した底部と、強化パッケージ内に少なくとも１つの製品を保持するための内部とを有する袋を得ることと、袋を収容するカートンの内部空間を形成するように、カートンブランクの複数のパネルを位置決めすることと、袋をカートンブランクに貼り付けることと、ボトム端部フラップを少なくとも部分的に重ね合わせることによって、カートンの閉鎖した底部を形成することと、カートンをパッケージの拡張形態に係止するように係止機能部を機能させることであって、拡張形態において、閉鎖した底部が形成され、袋は、カートンの内部空間に収容され、少なくとも１つの製品を内部に保持するように位置決めされることと、を含む。
【０００９】
本発明の更なる態様、特徴、及び利点は、以下の記載及び添付図面から明らかとなる。
【００１０】
当業者は、添付図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【００１１】
一般的な慣行に従い、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【００１２】
【図１】本開示の一実施形態に係るパッケージを形成する袋及びブランクの平面図である。
【図２】本開示の一実施形態に係るパッケージを形成する袋の平面図である。
【図３】本開示の一実施形態に係る、平坦形態におけるパッケージの斜視図である。
【図４】本開示の一実施形態に係る、起立形態又は開放形態における完全に形成されたパッケージの斜視図である。
【発明を実施するための形態】
【００１３】
対応する部分は、図面を通して対応する参照符号によって示されている。
【００１４】
本開示は、包括的には、食品製品等の製品又は他の物品を保持する強化パッケージに関する。本開示に係るパッケージは、任意の形状の物品を収容することができる。パッケージは、比較的剛性の材料（例えば、板紙）を含む強化用構築物に貼り付けられた、比較的可撓性の材料を含む袋、ライナー、又はラップ材を備えることができる。袋又はライナーは、概して、紙、プラスチック、又は他の原材料から作製することができ、強化用構築物に貼り付けることができる。１つの実施形態において、ライナーは、ポリエチレン材料又は他の任意の好適なヒートシール性材料を含む。強化用構築物は、可変幅を有することができ、袋の閉鎖端部の周りに又は閉鎖端部の上に、いくつかの実施形態では、そのような閉鎖端部を包囲して延在することができ、製品又は物品若しくは一連の物品を袋の内部に詰める際に袋に支持を与える。いくつかの実施形態において、強化用構築物は、袋とともに、詰めやすく使用しやすいように自立直立式の開放状態で袋を支持する形態へと折り曲げることができる。
【００１５】
図１は、本開示の１つの実施形態に係る、カートン５に貼り付けられた袋３を備える、全体として１で示される強化パッケージ（図４）を形成するブランク１０を示している。袋３は、開放した頂端部７と、閉鎖又はシールされた底端部９と、製品を保持するための内部空間１７とを有する。１つの実施形態において、袋３は、袋の頂部７と底部９との間の長さに延在するガセット付き側部１９を有する。強化用カートン５は、袋３のシールされた底部９を支持する底部２０を有する。１つの実施形態において、形成されたパッケージ１におけるカートン５の底部２０及び袋３の底部９は、概ね矩形であるが、袋３、カートン５、及び／又はパッケージ１は、本開示から逸脱することなく、別様の形状、構成、及び／又は形態とすることができる。カートン５は、パッケージ１の剛性を高めること及びパッケージを図４の形成済み状態に係止することによって、パッケージ１を強化する。１つの実施形態において、袋３は、引裂き機能部１８を有し、パッケージ１が形成され、物品（例えば、食品）が装填された後、袋の上側部分３’を除去することが可能である。
【００１６】
図１に示されているように、ブランク１０は、横軸Ｌ１及び縦軸Ｌ２を有する。図示の実施形態において、ブランク１０は、第１の横方向折り線３３において第１のサイドパネル２８に折り曲げ可能に接続されているフロントパネル２１を有する。バックパネル２３は、第２の横方向折り線３１において第１のサイドパネル２８に折り曲げ可能に接続されている。第２のサイドパネル２９は、第３の横方向折り線３５においてバックパネル２３に折り曲げ可能に接続されている。接着フラップ２５は、第４の横方向折り線３７においてフロントパネル２１に折り曲げ可能に接続されている。１つの実施形態において、ブランク１０は、フロントパネル２１に折り曲げ可能に接続されている第１のボトム端部フラップ又はボトムパネル４１と、第１のサイドパネル２８に折り曲げ可能に接続されている第２のボトム端部フラップ４３と、バックパネル２３に折り曲げ可能に接続されている第３のボトム端部フラップ４５と、第２のサイドパネル２９に折り曲げ可能に接続されている第４のボトム端部フラップ４７とを有する。ボトム端部フラップ４１、４３、４５、４７は、概して、ブランク１０の底縁部に沿って延在し、ブランクの長さに沿って延在する縦方向折り線４２において、それぞれのパネル２１、２８、２３、２９にそれぞれ折り曲げ可能に接続されている。縦方向折り線４２は、概ね真っ直ぐとすることができ、又は、本開示から逸脱することなく、別様の形状及び／又は形態とすることができる。
【００１７】
１つの実施形態において、折り線４２は、フロントパネル２１とボトム端部フラップ４１との間に切れ目４４を有する。ボトム端部フラップ４５は、自由遠位縁部４８において突出部４６を有する。突出部４６は、切れ目４４に挿通し、底部２０を閉鎖して係止するとともに、ボトム端部フラップ４１、４３、４５、４７を閉鎖形態に係止するものである。端部フラップ４１、４７は、それぞれ斜め折り線５２、５４を有し、縦方向折り線４２に隣接してそれぞれノッチ５６、５８を有する。端部フラップ４５は、横方向側縁部６２において突出部６０を有する。端部フラップ４１、４３、４５、４７は、ブランク１０が平坦形態（図３）にあるときに、重なり合って接着されるように構成され、係止される閉鎖位置へと折り曲げて、拡張形態又は形成済み形態（図４）においてカートン５の底部２０を閉鎖することができる。端部フラップ４１、４３、４５、４７は、本開示から逸脱することなく、別様の形状、構成、及び／又は形態とすることができる。１つの実施形態において、パネル２１、２８、２３、２９は、ブランク１０から形成されるカートン５の輪郭付けされた頂縁部を形成する、それぞれの湾曲縁部５１、５３、５５、５７を有する。１つの実施形態において、端部フラップ４１、４３、４５、４７は、重ね合わせることができるが、接着しないことができる。この場合、端部フラップの係止機能部が、端部フラップをカートン５の底部２０の閉鎖形態に係止する。ノッチ５６、５８は、端部フラップ４１、４３、４５、４７のうちの１つ以上の端部フラップの縁部を受けて、ボトム端部フラップをカートン５の底部２０の閉鎖形態に係止するのに役立つことができる。１つの実施形態において、折り線５２、５４は、それぞれノッチ５６、５８から、それぞれボトム端部フラップ４１、４７を横切って延在し、ボトム端部フラップの遠位部分４１ａ、４７ａを画定する。遠位部分４１ａ、４７ａは、それぞれの斜め折り線においてそれぞれのボトム端部フラップのベース部分４１ｂ、４７ｂに対して折り曲げ可能である。ブランク１０は、本開示から逸脱することなく、別様の形状、構成、及び／又は形態とすることができる。
【００１８】
１つの実施形態において、袋３は、引用することにより本明細書の一部をなす、代理人整理番号Ｒ０２９  １８２００ＵＳ．Ｐ１の２０１５年７月１４日に出願された米国仮特許出願第６２／２３１，７２３号に示されている袋と同様の方法により形成することができるとともに、同様の特徴を有することができ、又は、袋３及びパッケージ１は、他の任意の好適な方法若しくは形成ステップによって形成することができる。袋は、サイドパネル１９と、フロントパネル８２と、後部パネル８４と、接着フラップ８６とを画定する横方向折り線１５２を有する好適な材料部分１５０（図２）によって形成することができる。１つの実施形態において、サイドパネル１９は、ガセットを画定するとともに、サイドパネル１９のそれぞれを２つの部分に分割するガセット折り線８８をそれぞれ有する。上記２つの部分は、パッケージ１が平坦形態（図３）にあるときに、重なり合うことができる。縦方向折り線９０は、袋の底縁部にわたって延在し、それぞれのボトムフラップ部分９２、９４、９６、９８を、袋の材料部分１５０のそれぞれのパネル１９、８２、８４に折り曲げ可能に接続している。接着フラップ８６は、パネル８４の一部にヒートシールするか、又は接着剤若しくは他の任意の手段によって固定することができる。ボトムフラップ部分９２、９４、９６、９８は、重ね合わせて、接着剤によって固定するか、ヒートシールするか、又は他の手段によって固定し、袋３の閉鎖した底部９を形成することができる。袋３は、本開示から逸脱することなく、別様の形状、構成、及び／又は形態とすることができる。
【００１９】
強化パッケージ１は、引用することにより本明細書の一部をなす上記特許出願において示されているものと同様のシステム及び方法によって形成することができる。そこでは、包装システムにより、パッケージ１の袋３を形成する材料ウェブをブランク１０に貼り付け、ブランク１０及びウェブをそれぞれの包装システムに通して移動させ、システムの種々の部分及び構成要素によって、個々のパッケージ１へと形成する。ブランク１０は、強化カートン５へと形成され、材料ウェブは、袋３へと形成される。このとき、材料ウェブのそれぞれの部分１５０が重ね合わされ、袋を形成する。強化パッケージ１は、袋３が貼り付けられている強化カートン５を備える。強化パッケージ１は、本開示から逸脱することなく、任意の好適なシステム及び方法によって形成することができる。
【００２０】
１つの実施形態において、袋３を形成する材料は、予め印刷されている紙、ポリエチレン、又は可撓性かつヒートシール可能な材料を含む他の材料を含むことができる。１つの実施形態において、切り離された個々のブランク１０及び貼り付けられた袋３は、システム内を、一連の折り曲げ器を含む折り曲げ器／糊付け器カートン形成アセンブリへと運ばれ、折り曲げ器／糊付け器カートン形成アセンブリは、ブランク１０の様々なフラップ及びパネルを位置決めし、製品の充填に向けて包装及び輸送することができる平坦なカートン５を形成する。１つの実施形態において、接着フラップ２５は、サイドパネル２９に重ね合わせて接着され、ボトム端部フラップ４１、４３、４５、４７は、重ね合わせて接着され、カートンの閉鎖した底部２０を形成する。図３に示されているように、パッケージ１の平坦形態では、カートン５は、顧客への輸送に向けて平坦に折り畳まれており、パネル２１、２８、２３、２９が概ね矩形の形態を有するとともに、袋３が拡張して内部空間１７を形成するように位置決めすることによって、図４に示されている起立形態又は拡張形態へと位置決めすることができる。パッケージ１の起立形態又は拡張形態では、ボトム端部フラップ４１、４３、４５、４７は、カートン５の閉鎖した底部２０を形成する。それにより、パッケージ１は、平坦面上に支持するとともに起立形態に直立させて配置することができ、それにより、袋３の頂部７を通して内部空間１７にアクセスすることが可能である。物品（例えば、サンドイッチ、フライドポテト等のようなファストフード製品）は、袋の内部空間１７内に配置することができ、袋の頂部は、折り曲げて閉鎖することができ、パッケージ１を持ち運ぶことができる。また、袋の上側部分３’は、引裂き機能部１８において切り離し、パッケージ１から除去することで、袋３の内部空間１７に保持されている物品にアクセスすることができる。さらに、パッケージ１は、本開示から逸脱することなく、他のタイプの物品又は食品を保持するのに用いることができる。
【００２１】
概して、本明細書に記載したように、ライナー又は袋は紙素材によって形成することができるが、種々のプラスチック材料又は他のライナー材料を用いることもでき、所望の材料でライニング又はコーティングすることもできる。本明細書に記載の構築物、ブランク、及び／又は強化用スリーブは、クレーコーティング天然クラフト（「ＣＣＮＫ」）等のより硬質の材料で作製することができる。本明細書に記載のパッケージの構成部材を形成するのに、種々の厚紙、普通紙、プラスチック、若しくは他の合成材料又は天然材料等の他の材料を用いることもできる。
【００２２】
概して、本開示のブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコーティング上に製品、広告、及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ以上のシート状材料を積層又はコーティングすることもできる。
【００２３】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態とすることができる。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００２４】
例示的な実施形態によれば、折り線は、それに沿った折り曲げを容易にする、必ずしも直線状ではないが実質的に線状の任意の弱化形態とすることができる。本開示の範囲を狭めるものではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含むことができる。折り線を形成するのに切れ目付け（cutting）が用いられる状況において、切れ目付けは通常、分別のあるユーザーが折り線を誤って引き裂き線とみなす可能性があるように過度には深くはない。
【００２５】
上記実施形態は、カートンの実施形態を組み立てる際に糊によって接着される１つ以上のパネルを有するものとして説明することができる。「糊」という用語は、カートンパネルを適所に固定するのに一般的に用いられる全ての態様の接着剤を包含することが意図される。
【００２６】
本開示の上記した説明は、種々の実施形態を例示し説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、上述の実施形態の種々の変更形態、組合せ、変形形態等をカバーする。加えて、本開示は、選択された実施形態のみを図示及び説明しているが、種々の他の組合せ、変更形態、及び環境が、本明細書で表されるように本開示の範囲内にあり、上記教示と同等であり、及び／又は関連技術分野の技術若しくは知識内にある。さらに、各実施形態の或る特定の機能部及び特徴を、選択的に入れ替えて、本開示の他の説明された実施形態及び説明されていない実施形態に適用することができる。
【図１】
2018523621.tif 000003
【図２】
2018523621.tif 000004
【図３】
2018523621.tif 000005
【図４】
2018523621.tif 000006
【国際調査報告】
2018523621.tif 000007
2018523621.tif 000008